(57)【要約】【課題】プレパラートの検鏡部位を顕微鏡の視野内に移動し易いステージ、顕微鏡を提供すること。【解決手段】顕微鏡固定部２３とＹ軸方向可動部２５と標本ホルダ４５とを有するステージ３において、標本ホルダ４５はミクロ観察位置６５にプレパラート３１を保持するミクロ観察用保持部と、マクロ観察位置６７にプレパラート３１を保持するマクロ観察用保持部とを有し、ステージ３は、対物レンズ１１の光軸８３に対して定められたマクロ観察中心８５を示す指標８９，９１を有し、ステージ３を上方から見たとき、マクロ観察位置６７に保持されたときのプレパラート３１に対するマクロ観察中心８５の位置は、ミクロ観察位置６５に保持されたときのプレパラート３１に対する光軸８３の位置と同じであるステージ３。【選択図】図２
2010102105.tif 000002
【特許請求の範囲】
【請求項１】
顕微鏡本体に固定される顕微鏡固定部と、
前記顕微鏡固定部上に設けられ、該顕微鏡固定部に対してＹ軸方向へ移動される板状の可動部と、
前記可動部上に設けられ、該可動部に対してＸ軸方向へ移動され、プレパラートを保持する標本ホルダとを有するステージにおいて、
前記標本ホルダは、ミクロ観察位置に配置された顕微鏡の対物レンズに対向する位置に前記プレパラートを保持するミクロ観察用保持部と、ミクロ観察位置に配置された前記対物レンズに対向する位置から外れたマクロ観察位置に前記プレパラートを保持するマクロ観察用保持部とを有し、
前記対物レンズの光軸に対して定められたマクロ観察中心を示し、前記ステージを上方から見たとき、前記マクロ観察位置に保持されたときの前記プレパラートに対する前記マクロ観察中心の位置が、前記ミクロ観察位置に保持されたときの前記プレパラートに対する前記光軸の位置と同じとなる指標を有することを特徴とするステージ。
【請求項２】
前記指標は、前記可動部に形成されたＸ軸指標と、前記顕微鏡固定部に形成されたＹ軸指標とからなることを特徴とする請求項１に記載のステージ。
【請求項３】
前記可動部に照明用長孔が延長して形成され、
前記指標は、前記照明用長孔内側の前記顕微鏡固定部に形成されたＸ軸指標とＹ軸指標とからなることを特徴とする請求項１に記載のステージ。
【請求項４】
請求項１から３のいずれか１項に記載のステージを有することを特徴とする顕微鏡。
【発明の詳細な説明】
【技術分野】
【０００１】
本発明は、ステージ及びそれを有する顕微鏡に関するものである。
【背景技術】
【０００２】
従来、顕微鏡のステージにプレパラートを載置して組織標本や細胞を検鏡する際、プレパラートの組織標本や細胞の配置を把握してから、プレパラート標本を標本ホルダにセットして検鏡することが多い。すなわち、プレパラート標本を標本ホルダにセットした後、ステージのＸ軸ハンドル及びＹ軸ハンドルを操作して、事前に把握しておいたプレパラート標本の検鏡部位を顕微鏡の視野内に移動していた（例えば、特許文献１を参照）。
【特許文献１】特開２００１−２４２３８４号公報
【発明の開示】
【発明が解決しようとする課題】
【０００３】
事前にプレパラートの組織標本や細胞の配置を把握できているにしても、顕微鏡の双眼を覗きながらのステージ操作では、検鏡部位を顕微鏡の視野内に移動するのは、容易ではなかった。また、双眼を覗くのではなく、プレパラート標本を直接目で見てステージを操作する場合においても、対物レンズが邪魔をして検鏡部位を顕微鏡の視野内に移動するのは、容易ではなかった。
【課題を解決するための手段】
【０００４】
上記課題を解決するために、本発明のステージは、顕微鏡本体に固定される顕微鏡固定部と、前記顕微鏡固定部上に設けられ、該顕微鏡固定部に対してＹ軸方向へ移動される板状の可動部と、前記可動部上に設けられ、該可動部に対してＸ軸方向へ移動され、プレパラートを保持する標本ホルダとを有するステージにおいて、前記標本ホルダは、ミクロ観察位置に配置された顕微鏡の対物レンズに対向する位置に前記プレパラートを保持するミクロ観察用保持部と、ミクロ観察位置に配置された前記対物レンズに対向する位置から外れたマクロ観察位置に前記プレパラートを保持するマクロ観察用保持部とを有し、前記対物レンズの光軸に対して定められたマクロ観察中心を示し、前記ステージを上方から見たとき、前記マクロ観察位置に保持されたときの前記プレパラートに対する前記マクロ観察中心の位置が、前記ミクロ観察位置に保持されたときの前記プレパラートに対する前記光軸の位置と同じとなる指標を有することを特徴とする。
【０００５】
また、本発明の顕微鏡は、前記ステージを有することを特徴とする。
【発明の効果】
【０００６】
本発明によれば、プレパラートの検鏡部位を顕微鏡の視野内に移動し易いステージ、顕微鏡を提供することができる。
【発明を実施するための最良の形態】
【０００７】
以下、本願の実施形態に係るステージ、顕微鏡について図面を参照して説明する。
【０００８】
図１は、本願の第１実施形態に係るステージを備えた顕微鏡を示す側面図である。
【０００９】
図２は、本願の第１実施形態に係るステージを示す図であり、同図（ａ）は平面図、（ｂ）は縦断面図、（ｃ）は横断面図、（ｄ）はマクロ観察位置に保持されたプレパラートの検鏡部位をマクロ観察中心に合わせた状態の平面図である。
【００１０】
図３は、本願の第２実施形態に係るステージを示す図であり、同図（ａ）は平面図、（ｂ）は縦断面図、（ｃ）は横断面図である。
【００１１】
図４は、本願の第３実施形態に係るステージを示す図であり、同図（ａ）は平面図、（ｂ）は縦断面図、（ｃ）は横断面図、（ｄ）はマクロ観察位置に保持されたプレパラートの検鏡部位をマクロ観察中心に合わせた状態の平面図、（ｅ）は（ａ）において標本ホルダからプレパラートを外した状態の部分平面図である。なお、図２及び図４の（ｄ）において、各部材の符号は省略する。
【００１２】
まず、本願の実施形態に係る顕微鏡１について説明する。なお、第１実施形態のステージ３を備えた顕微鏡１のみを説明するが、他の実施形態のステージを備えた顕微鏡も同様である。
【００１３】
図１に示すように、顕微鏡１は、ステージ３と顕微鏡本体５と接眼レンズ７とレボルバ９と対物レンズ１１とを備える。顕微鏡本体５は、ベース１３と支柱１５とアーム１７とを有する。支柱１５には、上下動ハンドル１９を操作することによって上下方向（対物レンズ１１の光軸方向）に移動するサブステージ２１が設けられている。ステージ３はサブステージ２１に取り付けられている。
【００１４】
図２に示すように、ステージ３は、板状の顕微鏡固定部２３とその上の板状のＹ軸方向可動部２５を有する。顕微鏡固定部２３は螺子２７などによりサブステージ２１に固定されている。ステージ３には、ステージ３の下方へ突出するＸＹハンドル２９が設けられている。ＸＹハンドル２９は、Ｙ軸方向可動部２５上面に載置されたプレパラート３１をＸ軸・Ｙ軸方向へ移動するためのＸ軸ハンドル３３とＹ軸ハンドル３５とを有する。符号３７は、Ｙ軸方向可動部２５に形成され、照明光を透過させて標本に照射するための長孔である。当然に顕微鏡固定部２３にも長孔が設けられている。
【００１５】
なお、Ｘ軸・Ｙ軸は、図２（ａ）に示す方向に延びる互いに直交する直線で、それらの方向はステージ３に対して定められている。本実施形態においては、Ｘ軸方向はＹ軸方向可動部２５の長手方向に一致している。
【００１６】
Ｙ軸方向可動部２５には、Ｘ軸方向へ延びるガイド溝３９が形成されている。ガイド溝３９には、角柱状の移動部材４１が両側面に配されたベアリング４３を介して保持されており、Ｘ軸方向に摺動可能となっている。移動部材４１に、プレパラート３１を保持した標本ホルダ４５が取り付けられている。
【００１７】
Ｘ軸ハンドル３３を回すと、図示しないラックピニオン機構などにより、Ｙ軸方向可動部２５に対して移動部材４１がガイド溝３９に沿ってＸ軸方向に移動する。同時に、移動部材４１に固定された標本ホルダ４５、プレパラート３１がＸ軸方向に移動する。なお、Ｙ軸方向可動部２５と移動部材４１には、Ｘ軸方向の移動量を測るためのＸ軸方向移動量目盛４７が設けられている。
【００１８】
Ｙ軸ハンドル３５を回すと、図示しないラックピニオン機構などにより、顕微鏡固定部２３に対してＹ軸方向可動部２５全体がＹ軸方向に移動する。プレパラート３１、標本ホルダ４５はＹ軸方向可動部２５上に載置されているので、これらもＹ軸ハンドル３５の操作によってＹ軸方向に移動することになる。なお、Ｙ軸方向可動部２５は、顕微鏡固定部２３に被さるように設置され、顕微鏡固定部２３の両側面に配されたベアリング４９によってＹ軸方向に摺動可能となっている。また、Ｙ軸方向可動部２５と、螺子５１により顕微鏡固定部２３に取り付けられている屈曲したＹ軸指標板５３には、Ｙ軸方向の移動量を測るためのＹ軸方向移動量目盛５５が設けられている。
【００１９】
ベアリング４９、ラックピニオン機構、Ｙ軸ハンドル３５などにより、顕微鏡固定部２３に対して定められたＹ軸方向へＹ軸方向可動部２５を移動するＹ軸方向移動手段が構成されている。また、移動部材４１、ベアリング４３、ガイド溝３９、ラックピニオン機構、Ｘ軸ハンドル３３などにより、Ｙ軸方向可動部２５に対して定められたＸ軸方向へ標本ホルダ４５を移動するＸ軸方向移動手段が構成されている。
【００２０】
（第１実施形態）
次に、第１実施形態に係るステージ３について詳説する。
【００２１】
図２に示すように、薄板状の標本ホルダ４５は、移動部材４１に２つの固定螺子５７により固定されており、渦巻きばね５９を装着した軸６１によって回転可能に取り付けられた回転爪６３を有する。
【００２２】
また、標本ホルダ４５は、顕微鏡１の対物レンズ１１に対向するミクロ観察位置６５にプレパラート３１を保持するミクロ観察用保持部と、対物レンズ１１から観察者側に外れたマクロ観察位置６７にプレパラート３１を保持するマクロ観察用保持部とを有する。ミクロ観察位置６５はプレパラート３１の組織標本（細胞でもよい）８７を検鏡する位置であり、マクロ観察位置６７は、プレパラート３１の組織標本８７を直接目で見る位置である。
【００２３】
ミクロ観察用保持部は、図２（ａ）においてプレパラート３１の上側の端面を支持する段部６９、７１と、右側の端面を支持する段部７３と、プレパラート３１の頂点を支持する回転爪６３の第１斜面７５とから構成されている。
【００２４】
マクロ観察用保持部は、図２（ａ）においてプレパラート３１の下側の端面を支持する段部７７、７９と、右側の端面を支持する段部７３と、プレパラート３１の頂点を支持する回転爪６３の第２斜面８１とから構成されている。
【００２５】
回転爪６３は、渦巻きばね５９によりプレパラート３１を押さえる方向に付勢されている。標本ホルダ４５の移動部材４１との連結部分には幾分の弾性があり、プレパラート３１が顕微鏡１の下方に付勢されてＹ軸方向可動部２５上に確実に接触している。
【００２６】
図２（ａ）、（ｄ）ではマクロ観察位置６７にプレパラート３１が保持された状態を示しているが、ミクロ観察位置６５に保持されたときのプレパラート３１も二点鎖線で示している。
【００２７】
対物レンズ１１の光軸（ミクロ観察中心）８３に対して位置が定められ、光軸８３に平行かつＹ軸方向に光軸８３と位置が揃っているマクロ観察中心８５を示す指標がステージ３に設けられている。図２（ａ）、（ｄ）に示すように、第１実施形態においては、Ｙ軸方向可動部２５上に表記されたマーク８９がマクロ観察中心８５のＸ軸方向の位置を示すＸ軸指標であり、顕微鏡固定部２３に固定されたＹ軸指標板５３上に表記されたマーク９１がマクロ観察中心８５のＹ軸方向の位置を示すマクロ観察Ｙ軸指標である。
【００２８】
さらに、Ｘ軸指標８９はミクロ観察中心８３のＸ軸方向の位置も示しており、Ｙ軸指標板５３上の副尺の目盛上端は、ミクロ観察中心８３のＹ軸方向の位置を示すミクロ観察Ｙ軸指標９３となっている。
【００２９】
図２（ａ）、（ｄ）における一点鎖線の交点はミクロ観察中心８３とマクロ観察中心８５とを示しており、Ｙ軸方向一点鎖線上にＸ軸指標８９があり、マクロ観察中心８５と交わるＸ軸方向一点鎖線の延長線上にマクロ観察Ｙ軸指標９１がある。さらに、ミクロ観察中心８３と交わるＸ軸方向一点鎖線の延長線上にミクロ観察Ｙ軸指標９３がある。ミクロ観察Ｙ軸指標９３とマクロ観察Ｙ軸指標９１の間隔は、ミクロ観察中心８３とマクロ観察中心８５の間隔と等しくなっている。
【００３０】
ステージ３を対物レンズ１１の光軸８３に沿って上方から見たとき、即ち図２（ａ）、（ｄ）において、マクロ観察位置６７に保持されたときのプレパラート３１に対するマクロ観察中心８５の位置が、ミクロ観察位置６５に保持されたときのプレパラート３１に対する光軸８３の位置と同じになるように、マクロ観察中心８５の位置を決めている。したがって、マクロ観察位置６７にプレパラート３１が保持されているときマクロ観察中心８５に一致する組織標本８７の部位は、ミクロ観察位置６５にプレパラート３１を移動したとき光軸（ミクロ観察中心）８３に一致する、即ち顕微鏡１の視野の中央に来ることになる。
【００３１】
次に、第１実施形態のステージ３において、プレパラート３１の組織標本８７の検鏡部位９５を顕微鏡１の視野内に移動するための操作手順を説明する。
【００３２】
ステップ１：標本ホルダ４５のマクロ観察用保持部でプレパラート３１をマクロ観察位置６７に保持する（図２（ａ）参照）。
【００３３】
ステップ２：Ｘ軸ハンドル３３を操作して、検鏡部位９５のＸ軸方向位置をＸ軸指標８９に合わせる（図２（ｃ）、（ｄ）参照）。
【００３４】
ステップ３：Ｙ軸ハンドル３５を操作して、検鏡部位９５のＹ軸方向位置をマクロ観察Ｙ軸指標９１に合わせる（図２（ｃ）、（ｄ）参照）。この段階で、検鏡部位９５はマクロ観察中心８５に合う。
【００３５】
ステップ４：指で回転爪６３を回してプレパラート３１から離し、プレパラート３１をミクロ観察位置６５に移動してミクロ観察用保持部で保持する（図２（ｄ）参照）。この段階で、検鏡部位９５は自然にミクロ観察中心（光軸）８３に合い、顕微鏡１の視野の中央に来ることになる。ここで、Ｘ軸指標８９とミクロ観察Ｙ軸指標９３により、検鏡部位９５が光軸８３に合っていることを確認することもできる。
【００３６】
このように、第１実施形態は、標本ホルダ４５がミクロ観察用保持部とマクロ観察用保持部とを有すると共に、マクロ観察位置６７に保持されたときのプレパラート３１に対するマクロ観察中心８５の位置が、ミクロ観察位置６５に保持されたときのプレパラート３１に対する光軸８３の位置と同じになるようにしている。そのため、プレパラート３１をマクロ観察位置６７にセットし、ステージハンドル３３、３５を操作して、検鏡部位９５を指標８９、９１を利用してマクロ観察中心８５に合わせれば、後はプレパラート３１を移動してミクロ観察位置６５にセットするだけで、容易に検鏡部位９５を光軸８３に合わせることができる。
【００３７】
なお、検鏡部位９５をマクロ観察中心８５に合わせる際に生じる誤差はごく小さい範囲に抑えることができるため、問題なく検鏡部位９５を顕微鏡１の視野内に移動することができる。
【００３８】
また、特に第１実施形態の場合、プレパラート３１をマクロ観察位置６７に保持するためのスペースさえあれば、従来のステージ本体にマクロ観察中心８５を示す指標を形成し、第１実施形態の標本ホルダ４５を取り付けるだけで、第１実施形態のステージ３を構成することができる。
【００３９】
（第２実施形態）
次に、第２実施形態に係るステージ９７について説明する。第２実施形態は、ステージ９７を横長にし、第１実施形態におけるミクロ観察位置６５とマクロ観察位置６７とを、縦ではなく横並びにしたものである。第１実施形態と同様の部分は同一符号で示し、重複する説明は省略する。
【００４０】
図３に示すように、第２実施形態のＹ軸方向可動部９９は、観察者から見て右側のミクロ観察位置６５と左側のマクロ観察位置６７とにプレパラート３１を保持することができるように左右に広い面積を有する。また、第２実施形態の標本ホルダ１０１は、回転爪を用いず、プレパラート保持ワイヤ１０３によって簡単にプレパラート３１を保持する。
【００４１】
標本ホルダ１０１は、顕微鏡１の対物レンズ１１に対向するミクロ観察位置６５にプレパラート３１を保持するミクロ観察用保持部と、対物レンズ１１から観察者から見て左側に外れたマクロ観察位置６７にプレパラート３１を保持するマクロ観察用保持部とを有する。ミクロ観察位置６５はプレパラート３１の組織標本（細胞でもよい）８７を検鏡する位置であり、マクロ観察位置６７は、プレパラート３１の組織標本８７を直接目で見る位置である。
【００４２】
マクロ観察用保持部は、図３（ａ）においてプレパラート３１の左側の端面を摩擦で支持するプレパラート保持ワイヤ１０３と、右側の端面を支持する段部１０５と、上側の端面を支持する段部１０７、１０９とから構成されている。ミクロ観察用保持部は、図３（ａ）に示すようにマクロ観察用保持部と同一の構成であり、同図中の符号は省略する。
【００４３】
図３（ａ）ではマクロ観察位置６７にプレパラート３１が保持された状態を示しているが、ミクロ観察位置６５に保持されたときのプレパラート３１も二点鎖線で示している。
【００４４】
対物レンズ１１の光軸（ミクロ観察中心）８３に対して位置が定められ、光軸８３に平行かつＸ軸方向に光軸８３と位置が揃っているマクロ観察中心８５を示す指標がステージ３に設けられている。図３（ａ）に示すように、第２実施形態においては、Ｙ軸方向可動部９９上に表記されたマーク１１１がマクロ観察中心８５のＸ軸方向の位置を示すマクロ観察Ｘ軸指標であり、顕微鏡固定部２３に固定されたＹ軸指標板５３上の副尺の目盛上端がマクロ観察中心８５のＹ軸方向の位置を示すＹ軸指標１１３である。
【００４５】
さらに、Ｙ軸指標１１３はミクロ観察中心８３のＹ軸方向の位置も示しており、Ｙ軸方向可動部９９上に表記されたマーク１１５は、ミクロ観察中心８３のＸ軸方向の位置を示すミクロ観察Ｘ軸指標となっている。
【００４６】
図３（ａ）におけるＸ方向とＹ方向の一点鎖線の交点はミクロ観察中心８３とマクロ観察中心８５とを示しており、Ｘ軸方向一点鎖線の延長線上にＹ軸指標１１３があり、マクロ観察中心８５と交わるＹ軸方向一点鎖線上にマクロ観察Ｘ軸指標１１１がある。さらに、ミクロ観察中心８３と交わるＹ軸方向一点鎖線上であるＹ軸方向可動部９９上にミクロ観察Ｘ軸指標１１５がある。ミクロ観察Ｘ軸指標１１５とマクロ観察Ｘ軸指標１１１の間隔は、ミクロ観察中心８３とマクロ観察中心８５の間隔と等しくなっている。
【００４７】
ステージ９７を対物レンズ１１の光軸８３に沿って上方から見たとき、即ち図３（ａ）において、マクロ観察位置６７に保持されたときのプレパラート３１に対するマクロ観察中心８５の位置が、ミクロ観察位置６５に保持されたときのプレパラート３１に対する光軸８３の位置と同じになるように、マクロ観察中心８５の位置を決めている。したがって、マクロ観察位置６７にプレパラート３１が保持されているときマクロ観察中心８５に一致する組織標本８７の部位は、ミクロ観察位置６５にプレパラート３１を移動したとき光軸（ミクロ観察中心）８３に一致する、即ち顕微鏡１の視野の中央に来ることになる。
【００４８】
第２実施形態のステージ９７において、プレパラート３１の組織標本８７の検鏡部位９５を顕微鏡１の視野内に移動するための操作手順は第１実施形態と同様である。即ち、標本ホルダ１０１のマクロ観察用保持部でプレパラート３１をマクロ観察位置６７に保持し、Ｘ軸ハンドル３３を操作して、検鏡部位９５のＸ軸方向位置をマクロ観察Ｘ軸指標１１１に合わせ、さらにＹ軸ハンドル３５を操作して、検鏡部位９５のＹ軸方向位置をＹ軸指標１１３に合わせる。このようにして検鏡部位９５をマクロ観察中心８５に合わせた後、プレパラート３１をミクロ観察位置６５に移動してミクロ観察用保持部で保持すれば、検鏡部位９５は自然にミクロ観察中心（光軸）８３に合い、顕微鏡１の視野の中央に来ることになる。ここで、Ｙ軸指標１１３とミクロ観察Ｘ軸指標１１５により、検鏡部位９５が光軸８３に合っていることを確認することもできる。
【００４９】
以上のように、第２実施形態によっても、第１実施形態と同様の効果を得ることができる。
【００５０】
なお、マクロ観察位置６７は、プレパラート３１を直接目で見て観察する位置なので、レボルバ９や対物レンズ１１で視野が妨げられない位置とすることが望ましいが、第２実施形態のステージ９７は左右に広い面積を有するため、一般的に顕微鏡の左側には顕微鏡の構成部材はなく、左側のマクロ観察位置６７を好適な位置にすることができる。さらに、標本ホルダ１０１には回転爪がないので、Ｙ軸方向可動部９９上をスライドさせるように指１本で簡単にプレパラート３１をミクロ観察位置６５に移動することができる。
【００５１】
（第３実施形態）
次に、第３実施形態に係るステージ１１７について説明する。第３実施形態は、マクロ観察中心８５を示す指標を顕微鏡固定部２３の上面に表記した点が第１実施形態と相違する。第１実施形態と同様の部分は同一符号で示し、重複する説明は省略する。
【００５２】
図４に示すように、第３実施形態においては、Ｙ軸方向可動部１１９に照明用の長孔１２１がＹ軸方向観察者側に延長して形成されている。また、図４（ｅ）に示すように、マクロ観察中心８５を示す指標は、長孔１２１を通して見える長孔１２１内側の顕微鏡固定部２３の上面に形成されたＸ軸指標１２３とマクロ観察Ｙ軸指標１２５である。図４（ｅ）において、Ｘ軸指標１２３とマクロ観察Ｙ軸指標１２５との交点がマクロ観察中心８５に一致する。
【００５３】
第３実施形態のステージ１１７においても、十字の指標１２３、１２５を利用し、第１実施形態と同様の操作によってプレパラート３１の検鏡部位９５を顕微鏡１の視野内に容易に移動することができる。
【００５４】
また、特に第３実施形態の場合、中心がマクロ観察中心８５に一致する十字の指標１２３、１２５を用いることで、検鏡部位９５の位置合わせを一層容易かつ正確に行うことができる。
【００５５】
本実施形態では、マクロ観察中心８５を示す指標は顕微鏡固定部２３の上面に形成され、長孔１２１はＹ軸方向観察者側に延長して形成されているが、顕微鏡固定部２３に形成される長孔は、長孔１２１よりも長手方向の長さは短く形成する。
【００５６】
なお、本発明のステージとそれを有する顕微鏡は、上記実施形態に限定されるものではない。
【００５７】
例えば、第３実施形態において、マクロ観察中心８５を示す指標を顕微鏡固定部２３上面に形成するために、延長した照明用長孔１２１ではなく、別の孔を形成してそれをプラスチックなどの透明な部材で塞ぐようにしてもよい。
【図面の簡単な説明】
【００５８】
【図１】本願の第１実施形態に係るステージを備えた顕微鏡を示す側面図である。
【図２】本願の第１実施形態に係るステージを示す図であり、同図（ａ）は平面図、（ｂ）は縦断面図、（ｃ）は横断面図、（ｄ）はマクロ観察位置に保持されたプレパラートの検鏡部位をマクロ観察中心に合わせた状態の平面図である。
【図３】本願の第２実施形態に係るステージを示す図であり、同図（ａ）は平面図、（ｂ）は縦断面図、（ｃ）は横断面図である。
【図４】本願の第３実施形態に係るステージを示す図であり、同図（ａ）は平面図、（ｂ）は縦断面図、（ｃ）は横断面図、（ｄ）はマクロ観察位置に保持されたプレパラートの検鏡部位をマクロ観察中心に合わせた状態の平面図、（ｅ）は（ａ）において標本ホルダからプレパラートを外した状態の部分平面図である。
【符号の説明】
【００５９】
１                顕微鏡
３                ステージ
１１              対物レンズ
２３              顕微鏡固定部
２５              Ｙ軸方向可動部
３１              プレパラート
３３              Ｘ軸ハンドル
３５              Ｙ軸ハンドル
３７              長孔
３９              ガイド溝
４１              移動部材
４３              ベアリング
４５              標本ホルダ
４９              ベアリング
６３              回転爪
６５              ミクロ観察位置
６７              マクロ観察位置
６９，７１，７３  段部
７５              第１斜面
７７，７９        段部
８１              第２斜面
８３              光軸
８５              マクロ観察中心
８９              Ｘ軸指標
９１              マクロ観察Ｙ軸指標
９３              ミクロ観察Ｙ軸指標
【図１】
2010102105.tif 000003
【図２】
2010102105.tif 000004
【図３】
2010102105.tif 000005
【図４】
2010102105.tif 000006